(57)【特許請求の範囲】
【請求項１】
一端に流体の供給口を設けた丸パイプと、これを包囲する角パイプとで二重ノズル体を形成し、角パイプの一隅に長手方向に沿ってスリット状の噴射部を形成し、かつ丸パイプの所定位置に丸パイプから角パイプに流体を導くための導入口を形成してなる丸パイプと角パイプの組合わせノズル機構において、前記スリット状の噴射部の開口幅を調整できる開口幅調整手段を前記両パイプ間に設け、この開口幅調整手段は、噴射部に隣接する角パイプの側壁に、その外側から拡幅用ボルトと縮幅用ボルトをねじ結合させ、拡幅用ボルトの先端は丸パイプに当接させ、縮幅用ボルトの先端は丸パイプにねじ結合させたことを特徴とする丸パイプと角パイプの組合わせノズル機構。
【請求項２】
拡幅用ボルトを所定のピッチで配設し、隣接する拡幅用ボルト間に、縮幅用ボルトを配設したことを特徴とする請求項１記載の丸パイプと角パイプの組合わせノズル機構。
【請求項３】
拡幅用ボルト及び縮幅用ボルトが丸パイプと対面する丸パイプ周壁部位付近であって、流体流路の下流側に相当する丸パイプ周壁部位に、丸パイプ内部と角パイプ内部を連通する補正孔を形成したことを特徴とする請求項１又は２記載の丸パイプと角パイプの組合わせノズル機構。
【発明の詳細な説明】
【０００１】
【発明の属する技術分野】
本発明は、流体を噴射するためのノズル機構に関し、さらに詳しくは丸パイプと角パイプの組合わせノズル機構であって、例えばエアカーテンとして、あるいは製品の水切り装置や乾燥装置等として用いられる丸パイプと角パイプの組合わせノズル機構に関する。
【０００２】
【従来の技術】
一般に、丸パイプと角パイプの組合わせノズル機構は、例えばエアカーテンで空間を仕切る場合、また生産ラインで製品の水切りや乾燥をしたり、熱処理や焼付けをする場合、さらには流体膜を形成する場合等の現場で利用されている。
【０００３】
この丸パイプと角パイプの組合わせノズル機構６０は、図１１に示すように丸パイプ６１を角パイプ６５で包囲して、角パイプ６５の一隅６３の長手方向に沿ってスリット状の噴射部６６を形成し、丸パイプ６１の所定位置に丸パイプ６１内から角パイプ６５に流体を導くための導入口６２を形成したものである。
【０００４】
この組合わせノズル機構６０によれば、丸パイプ６１内に供給した流体は、矢印で示すように導入口６２を通過して角パイプ６５内に流入し、角パイプ６５の上隅６７で左右に分岐して整流作用（すなわち、流体の流速を平均化すること）が行われる。その後、流体は、丸パイプ６１と角パイプ６５との隙間が小さくなるエリア６３ａ、６３ｂで合流して整流される。
【０００５】
ついで、流体は、角パイプの左右隅６８、６９に沿って流路方向を変更することにより整流され、丸パイプ６１と角パイプ６５との隙間が小さくなるエリア６４ａ、６４ｂで合流して整流された後、噴射部６６から噴射される。
【０００６】
【発明が解決しようとする課題】
しかし、従来の組合わせノズル機構６０は、噴射部６６から噴射する流体の温度が高温である場合には、角パイプ６５が熱膨脹により噴射部６６の中央部Ｈ１の開口幅Ｓ１が広げられ、また流体温度が低温である場合には縮められるため、流体を噴射部６６から均一に噴射できなくなるという問題点があった。
【０００７】
また、ノズル機構６０は、パイプ、ダクト、ホース、バルブ等の配管部品、さらには送風機、コンプレッサー、ポンプ等の流体供給設備に接続して使用されるが、各部から生ずる様々な要因により騒音を発生させることがある。
これは、流体供給設備から噴射部６６迄の流路内の抵抗を受けて発生する流体の振動音、風切り音、機械音、及び流体の流速により発生する波動やマッハ・ツェンダー、回転渦等の原因で噴射部６６周辺が共鳴、振動するためである。
従来型のノズル機構では、このときにビビリ音や「ピー」音が発生するという問題点があった。
【０００８】
さらに、噴射部６６から高流速の流体を噴射させた場合には、図１２に示す噴射部６６の中央部Ｈ１の開口幅Ｓ１が、噴射部６６の両側部Ｈ２、Ｈ３の開口幅Ｓ１より内部圧を強く受けて広がり易く、そのため噴射部６６から流体を均一に噴射することができなくなるという問題点もあった。
【０００９】
従来型ノズル機構６０は、噴射部６６の各部位Ｈ１、Ｈ２、Ｈ３の流速が均一になることが特徴であるが、スリット状の噴射部６６から噴射される一線状に整えられた流体は、噴射部から離れるほど流速を低下させ、噴射幅を減少させる特性がある。
したがって、紙、フィルム、鋼板等、平板状のワークの乾燥、水切り、熱処理等を行うコンベアーラインの作業においては、前述の原因により、これらワークの両端部付近の処理が不十分となる問題点もあった。
【００１０】
この発明は、流体の温度分布及び流速によって生ずる噴射部の開口幅の広がりや縮まりを防止し、これにより流体を噴射部から均一に噴射することができ、騒音の発生を抑え、かつ処理作業の条件に合わせてスリット状噴射部の中央部と両端部の流速バランスを調整することができる丸パイプと角パイプの組合わせノズル機構を提供して、上述の全ての問題点を解消しようとするものである。
【００１１】
【課題を解決するための手段】
このため本発明の請求項１は、一端に流体の供給口を設けた丸パイプと、これを包囲する角パイプとで二重ノズル体を形成し、角パイプの一隅に長手方向に沿ってスリット状の噴射部を形成し、かつ丸パイプの所定位置に丸パイプから角パイプに流体を導くための導入口を形成してなる丸パイプと角パイプの組合わせノズル機構において、前記スリット状の噴射部の開口幅を調整できる開口幅調整手段を前記両パイプ間に設け、この開口幅調整手段は、噴射部に隣接する角パイプの側壁に、その外側から拡幅用ボルトと縮幅用ボルトをねじ結合させ、拡幅用ボルトの先端は丸パイプに当接させ、縮幅用ボルトの先端は丸パイプにねじ結合させたことを特徴とする丸パイプと角パイプの組合わせノズル機構である。
【００１２】
上記した本発明に係る丸パイプと角パイプの組合わせノズル機構は、スリット状の噴射部の開口幅を調整できる開口幅調整手段を設けたため、噴射部の中央部Ｈ１位置の開口幅を広くしたり、狭くしたりの調整が自由に行える。
【００１３】
さらに、この開口幅調整手段はスリット状の噴射部の開口部付近を強固に抑えつけることができ、高温流体による熱膨張や、高圧高流速の流体による噴射部の開口幅の広がり、又は低温流体による開口幅の縮まり等を防止することが可能となる。さらに、流体を噴射部の中央部に集中させる必要がある場合には、中央部の開口幅を広げ、逆に両端部に集中させたい場合には中央部の開口幅を狭くする等の調整が可能となる。
【００１４】
また、拡幅用ボルト及び縮幅用ボルトを角パイプに取り付けることにより、角パイプを強固に丸パイプに取り付けることが可能となり、高圧高流速の流体を噴射部から噴射しても、噴射部周辺の振動を抑え、騒音の発生を防止することができ、さらに拡幅用ボルト及び縮幅用ボルトを押し込んだり、引き戻したりするように回転させるだけで、噴射部の開口幅を簡単に調整することが可能となる。
【００１５】
請求項２は、拡幅用ボルトを所定のピッチで配設し、隣接する拡幅用ボルト間に、縮幅用ボルトを配設したことを特徴とする。
【００１６】
拡幅用ボルトと縮幅用ボルトとを交互に配置したので、所望位置の噴射部の開口幅を適宜広くしたり、狭くしたりする調整が可能となる。
【００１７】
請求項３は、拡幅用ボルト及び縮幅用ボルトが丸パイプと対面する丸パイプ周壁部位付近であって、流体流路の下流側に相当する丸パイプ周壁部位に、丸パイプ内部と角パイプ内部を連通する補正孔を形成したことを特徴とする。
【００１８】
この補正孔の存在により、流体流路中に設けられる拡幅用ボルトや縮幅用ボルトで流体の流れが、部分的に一旦切断されたとしても、その先における流体を速やかに接続させて均一性のある連続流体が確保され、結果的に噴射部から流量・流速が揃った流体を噴射できることになる。
【００１９】
【発明の実施の形態】
以下、本発明の実施の形態を図面に基づいて説明する。
図１は本発明に係る丸パイプと角パイプの組合わせノズル機構の斜視図、図２は図１のＸ−Ｘ線断面図、図３は図１のＹ−Ｙ線断面図、図４及び図５は本発明に係る丸パイプと角パイプの組合わせノズル機構の流体の流れを説明した図である。
【００２０】
丸パイプと角パイプの組合わせノズル機構１は、図１に示すように、一端３に流体の供給口４を設けた丸パイプ２と、この丸パイプ２を包囲する角パイプ１０とで二重ノズル体を形成し、角パイプ１０の一隅１１に長手方向に沿ってスリット状の噴射部２０を形成し、かつ丸パイプ２の所定位置には丸パイプ２内から角パイプ１０内に流体を流すための導入口６（図２、図３参照）を形成したものであって、スリット状の噴射部２０の開口幅Ｓを調整する開口幅調整手段２５を設けたものである。
【００２１】
丸パイプ２は、その一端３に送風機やコンプレッサ（図示せず）に連通するパイプを繋ぐためのねじ３ａ又はホース接続口（図示せず）を形成し、前記の導入口６を角パイプ１０の噴射部２０の位置から最も離れた位置に形成したものである。
この導入口６は、スリットで形成されたり、あるいは所定ピッチで穿設された複数の孔で形成される。
【００２２】
角パイプ１０は、四つの側壁１６〜１９で矩形状に形成され、四つの側壁１６〜１９のうちの第１側壁１６及び第２側壁１７で形成される一隅１１にスリット状の噴射部２０を形成したものである。この噴射部２０は、一例としては、その開口幅が０．１〜２．０ｍｍに設定されている。
【００２３】
開口幅調整手段２５は、第１、第２の側壁１６，１７に所定のピッチＰ（一例として、Ｐ＝４０ｍｍ）で取り付けられた拡幅用ボルト２７…と、拡幅用ボルト２７、２７の中間に取り付けられた縮幅用ボルト３０…とから構成される。
【００２４】
拡幅用ボルト２７は、第１、第２の側壁１６、１７にねじ結合されていて、その先端２７ａを丸パイプ２の周壁８に当接させてあり、ロックナット２８を頭部２７ｂと角パイプ１０との間に取り付けたものである。
縮幅用ボルト３０は、第１、第２の側壁１６、１７にねじ結合されると共に、その先端３０ａを丸パイプ２の周壁８にもねじ結合させたものである。
【００２５】
このように、拡幅用ボルト２７及び縮幅用ボルト３０を角パイプ１０に配設することにより、角パイプ１０を強固に丸パイプ２に取り付けることができ、これにより高圧高流速の流体を噴射部２０から噴射しても、噴射部２０の周辺が振動共鳴することは防止される。
また、拡幅用ボルト２７及び縮幅用ボルト３０を回転させるだけで、噴射部２０の開口幅Ｓを簡単に調整することができる。
【００２６】
つぎに、丸パイプと角パイプの組合わせノズル機構１の作用を説明する。
図４に示すように、ロックナット２８、２８を緩めた後、拡幅用ボルト２７、２７を矢印ａの方向に回転させて、角パイプ１０の第１、第２の側壁１６、１７を矢印ｂの方向に広げることにより、噴射部２０の開口幅Ｓを広げる。
【００２７】
図５に示すように、縮幅用ボルト３０、３０を矢印ｃの方向に回転させることにより、角パイプ１０の第１、第２の側壁１６、１７を矢印ｄの方向に押し込むことにより、噴射部２０の開口幅Ｓを狭めることができる。
【００２８】
つぎに、流体の流れを図４に基づいて説明する。なお、丸パイプ２と角パイプ１０間の矢印は流体が流れる方向を示している。
丸パイプ２内に供給された流体は、導入口６を通過して角パイプ１０内に流入し、角パイプ１０の上隅１２で左右に分岐して整流（すなわち、流体の圧力が揃えられること）が行われる。このようにして、流体は丸パイプ２と角パイプ１０との隙間が小さくなるエリア３５、３６で合流して整流される。
【００２９】
ついで流体は、左右の隅１３、１４に沿って流路方向を変更することにより整流され、丸パイプ２と角パイプ１０との隙間が小さくなるエリア３７、３８で合流して再度整流された後、噴射部２０から均一に噴射されることとなる。
【００３０】
ここで、図４の場合には、開口幅調整手段２５で噴射部２０の開口幅Ｓを広くできるので、流体の噴射量を増加させることができる。
一方、図５の場合には、開口幅調整手段２５で噴射部２０の開口幅Ｓを狭くできるので、流体の噴射量を抑えることができる。
【００３１】
したがって、高温の加熱流体の影響で、角パイプ１０が熱膨脹して噴射部２０の開口幅Ｓが広げられた場合には、開口幅調整手段２５で噴射部の開口幅を狭めることで、加熱流体の噴射量を適正に設定することが可能となる。
【００３２】
また、噴射部２０から高圧の流体を噴射して、図１に示す噴射部２０の中央部Ｈ５の開口幅Ｓが、両側部Ｈ６、Ｈ７の開口幅Ｓより広げられた場合には、前記開口幅調整手段２５で中央部Ｈ５の開口幅Ｓを狭めて、加熱流体の噴射量を適正に設定することが可能となる。
【００３３】
さらに、流体が噴射部２０の中央部Ｈ５から集中して噴射される場合には、噴射部２０の中央部Ｈ５の開口幅Ｓを狭めて、流体の多くを噴射部２０の両側部Ｈ６、Ｈ７付近に強制的に導くことができる。
【００３４】
つぎに、上述のような開口幅調整手段を設けたことにより、図６に示すように流体の流れに切断箇所が発生する惧れがある。
即ち、図６Ａに示すように、流体が上流側から下流側に流れる際、各ボルト位置で流れが一旦切断される。ボルト位置を通過した流体は、その先で徐々に流れが揃うように作用するため、通常のエアー等の気体の使用にあっては、噴射部またはワークに到達する迄の間に、流体の前記切断箇所が解消されるため、問題が生ずることは少ない。
【００３５】
しかしながら、図６Ｂに示すように、流体が高流速（亜音速、超音速領域）である場合とか、液体（液体膜の形成等）である場合には、流体の切断箇所が噴射部２０の外側にまで伸びてくることがある。
その結果、流体がワークに到達する迄に切断箇所が解消しないときは、流体の均一性を欠き、処理ムラを発生させることがある。
【００３６】
このため、本発明では各ボルト２７、３０の形成位置の丸パイプ周壁部位に補正孔４０を設けることにより、その補正孔４０を通過させて丸パイプ内の流体を角パイプ内に導き、流体の切断箇所を短時間で補正できるようにした（図６Ｃ参照）。
【００３７】
この補正孔４０は、図７、図８に示すような形状を呈し、図９、図１０に示すような作用をなす。
補正孔４０の大きさは、丸パイプ内部の動圧及び渦等の影響が少ない範囲で、静圧により流体が押し出される程度の開口面積で形成されることが好ましい。
【００３８】
前記実施の形態では、噴射部２０から噴射する流体を加熱流体とする例を説明したが、この流体としては、加熱流体に限られず、水などの液体、あるいは常温又は低温のエアー等も含まれることは当然である。
上記の説明では、噴射部２０の開口幅Ｓを０．１〜２．０ｍｍに設定した例を説明したが、この開口幅Ｓは任意に設定されることは言う迄もない。
【００３９】
また、開口幅調整手段２５は、第１、第２の側壁１６，１７に拡幅用ボルト２７…及び縮幅用ボルト３０…を取り付けた例を説明したが、第１、第２の側壁１６，１７のいずれか一方に拡幅用ボルト２７…及び縮幅用ボルト３０…を取り付けるようにしてもよい。
さらに、開口幅調整手段２５は、拡幅用ボルト２７…のピッチＰを４０ｍｍに設定した例を説明したが、そのピッチＰの寸法はこれに限られず、任意に選択できることはもちろんである。
【００４０】
【発明の効果】
よって本発明の請求項１は、スリット状の噴射部の開口幅を調整する開口幅調整手段を備えたことにより、噴射部の開口幅を広げたり、狭めたりすることができ、さらに噴射部の周辺部を強固に保持することもできる。
したがって、高温流体の影響による熱膨脹で、噴射部の開口幅を広げる力が働いた場合には、開口幅を保持することが可能となり、低温流体による影響で開口幅を狭める力が働いた場合には、同様の作用により開口幅が保持される。これにより、従来型のノズル機構に比べて、広い温度範囲で、流体を噴射部から均一に噴射することができるようになった。
【００４１】
また、噴射部から高圧・高流速の流体を噴射させることで、噴射部の中央部の開口幅が両側部の開口幅より広げられる力が働いた場合には、開口幅調整手段により噴射部の開口幅が均一になるよう保持されるため、噴射部から流体を均一に噴射させることが可能となった。
【００４２】
さらに、拡幅用ボルトと縮幅用ボルトを角パイプに設けたことにより、角パイプ及び噴射部の周辺を強固に丸パイプに接続して保持することができ、ノズル機構、配管部品、流体供給設備等から、流路内の抵抗で発生する振動、風切り音、機械音、及び流体の速度により発生する波動やマッハ・ツェンダー、回転渦等が原因で発生する騒音を抑えることができる。これは、前述の開口幅調整手段が共鳴、振動、増幅を抑えるためで、従来型のノズル機構と比べ、いわゆるビビリ音や「ピー」音の発生を大幅に減少させることができるようになった。
【００４３】
また、拡幅用ボルトと縮幅用ボルトを回転させるだけで、噴射部の開口幅を調整することができるので、丸パイプと角パイプの組合わせノズル機構の使い勝手が向上する。
【００４４】
請求項２は、拡幅用ボルトと縮幅用ボルトとを交互に配置したので、所望の位置の噴射部の開口幅を適宜広くしたり、狭くすることができ、噴射部から噴射する流体の流量を高精度に調整することが可能となる。
【００４５】
請求項３は、丸パイプ周壁の所定位置に補正孔を形成したため、拡幅用ボルトや縮幅用ボルトの存在により、流体の流れが部分的に一旦切断されたとしても、その切断位置の先における流体を速やかに連続的に接続させて均一性のある流体を確保できるという優れた効果がある。
【図面の簡単な説明】
【図１】本発明に係る丸パイプと角パイプの組合わせノズル機構の斜視図である。
【図２】図１のＸ−Ｘ線断面図である。
【図３】図１のＹ−Ｙ線断面図である。
【図４】本発明に係る丸パイプと角パイプの組合わせノズル機構の、流体の流れを説明した図である。
【図５】本発明に係る丸パイプと角パイプの組合わせノズル機構の、流体の流れを説明した図である。
【図６】拡幅用ボルトと縮幅用ボルト位置で流体の流れが、部分的に一旦切断される状態を説明した図で、図６Ａは流体の切断の影響が噴射部の位置に来る前に解消されている例、図６Ｂは同噴射部の位置に来ても解消されていない例、図６Ｃは本発明の補正孔を形成したために流体の切断の影響が噴射部の位置に来る前に解消されている例である。
【図７】図７Ａは、拡幅用ボルト側の補正孔の平面図、同Ｂは拡幅用ボルトを所定位置にセットした際の平面図である。
【図８】図８Ａは、縮幅用ボルト側の補正孔の平面図、同Ｂは縮幅用ボルトを所定位置にセットした際の平面図である。
【図９】拡幅用ボルト側の補正孔を形成した個所の、流体の流れを説明した図である。
【図１０】縮幅用ボルト側の補正孔を形成した個所の、流体の流れを説明した図である。
【図１１】従来の丸パイプと角パイプの組合わせノズル機構の断面図である。
【図１２】図１１のＺ矢視図である。
【符号の説明】
１、６０…丸パイプと角パイプの組合わせノズル機構
２、６１…丸パイプ
３…丸パイプの一端
３ａ…ねじ
４…供給口
６、６２…導入口
８…丸パイプの周壁
１０、６５…角パイプ
１１、６３…角パイプの一隅
１２、６７…角パイプの上隅
１３、１４、６８、６９…角パイプの左右隅
１６〜１９…側壁
２０、６６…噴射部
２５…開口幅調整手段
２７…拡幅用ボルト
２７ａ、３０ａ…ボルトの先端
２７ｂ…ボルトの頭部
２８…ロックナット
３０…縮幅用ボルト
３５、３６、３７、３８、６３ａ、６３ｂ、６４ａ、６４ｂ…エリア
４０…補正孔
Ｈ１、Ｈ５…噴射部の中央部
Ｈ２、Ｈ３、Ｈ６、Ｈ７…噴射部の両側部
Ｐ…ピッチ
Ｓ、Ｓ１…噴射部の開口幅
【図１】
0003540673.tif 000002
【図２】
0003540673.tif 000003
【図３】
0003540673.tif 000004
【図４】
0003540673.tif 000005
【図５】
0003540673.tif 000006
【図６】
0003540673.tif 000007
【図７】
0003540673.tif 000008
【図８】
0003540673.tif 000009
【図９】
0003540673.tif 000010
【図１０】
0003540673.tif 000011
【図１１】
0003540673.tif 000012
【図１２】
0003540673.tif 000013